(57)【要約】【課題】  複数の駆動モジュールを用いて有機ＥＬディスプレイを駆動する際に、駆動モジュール間の特性ばらつきによる輝度ムラを補正する。【解決手段】  データ線駆動回路２００は４個の駆動モジュール２０１〜２０４を備える。各駆動モジュール２０１〜２０４は、駆動領域Ａ〜Ｄに対応して各々設けられている。電気光学装置１は、駆動領域Ａ〜Ｄを順次点灯させて、電源電流を計測する。そして、計測結果に基づいて、駆動領域Ａ〜ＤのＯＬＥＤ素子に流れる注入電流が均一となるように補正データが生成される。補正データは補正データ記憶部に記憶され、これを用いて生成された出力階調データが各駆動モジュール２０１〜２０４に供給される。【選択図】      図３
2005250122.tif 000002
【特許請求の範囲】
【請求項１】
複数の走査線と、複数のデータ線と、前記走査線と前記データ線の交差に対応して電気光学素子が各々配列された画素領域とを備えた電気光学装置に用いられ、前記電気光学素子の輝度を制御する制御データに基づいて前記電気光学素子を駆動する電気光学装置の駆動回路であって、
前記画素領域を前記各駆動モジュールに対応する領域に分割した複数の駆動領域の間で輝度が一定になるように前記制御データを補正するための補正データを、前記複数の駆動領域に対応して各々記憶した補正データ記憶手段と、
前記補正データ記憶手段から読み出した前記補正データを用いて、前記制御データを補正して補正済制御データを生成する補正手段と、
複数の駆動モジュールを有し、各駆動モジュールが互いに異なる前記データ線に接続され、前記補正済制御データに基づいてデータ信号を生成し、前記データ信号を前記データ線を介して前記電気光学素子へ供給するデータ線駆動手段と、
を備えたことを特徴とする電気光学装置の駆動回路。
【請求項２】
前記制御データは、入力階調値を示す入力階調データであり、前記補正済制御データは出力階調データであることを特徴とする請求項１に記載の電気光学装置の駆動回路。
【請求項３】
前記補正データを、前記複数の駆動領域に対応して各々生成する補正データ生成手段を備えたことを特徴とする請求項１又は２に記載の電気光学装置の駆動回路。
【請求項４】
前記電気光学素子は電流によって駆動され、
前記補正データ生成手段は、
前記駆動領域に各々対応する画像パターンを順次表示させる画像制御手段と、
前記電気光学素子に供給される電流を前記駆動領域ごとに計測してブロック電流として出力する電流計測手段と、
前記ブロック電流に基づいて前記補正データを前記駆動領域ごとに生成する補正データ作成手段と、
を備えたことを特徴とする請求項３に記載の電気光学装置の駆動回路。
【請求項５】
前記電気光学素子は電流によって駆動され、前記駆動領域は複数のサブ領域からなり、
前記補正データ生成手段は、
前記サブ領域に各々対応する画像パターンを順次表示させる画像制御手段と、
前記電気光学素子に供給される電流を前記サブ領域ごとに計測してブロック電流として出力する電流計測手段と、
計測された前記ブロック電流が所定の範囲内にあるか否かを判定する判定手段と、
前記所定の範囲内にある前記ブロック電流に基づいて前記駆動領域ごとに前記補正データを生成する補正データ作成手段と、
を備えたことを特徴とする請求項３に記載の電気光学装置の駆動回路。
【請求項６】
複数の走査線と、
複数のデータ線と、
前記走査線と前記データ線の交差に対応して電気光学素子が各々配列された画素領域と、
請求項１乃至５のいずれか１項に記載された駆動回路と、
を備えたことを特徴とする電気光学装置。
【請求項７】
前記電気光学素子は有機発光ダイオードであることを特徴とする請求項５に記載の電気光学装置。
【請求項８】
請求項７に記載の電気光学装置を表示手段として有することを特徴とする電子機器。
【請求項９】
複数の走査線と、複数のデータ線と、前記走査線と前記データ線の交差に対応して電流で駆動される電気光学素子が各々配列された画素領域と、補正データを用いて前記電気光学素子の輝度を制御する制御データを補正して補正済制御データを生成する補正手段と、前記画素領域を分割した複数の駆動領域の各々に対応して設けられ、前記補正済制御データに基づいてデータ信号を生成して前記データ線に供給する駆動モジュールとを備えた電気光学装置を対象として、前記補正データを生成する補正データ生成方法であって、
前記駆動領域は複数のサブ領域からなり、前記サブ領域に各々対応する画像パターンを順次表示させ、
前記電気光学素子に供給される電流を前記サブ領域ごとにブロック電流として計測し、
計測された前記ブロック電流が所定の範囲内にあるか否かを判定し、
前記所定の範囲内にある前記ブロック電流に基づいて前記駆動領域ごとに前記補正データを生成する、
ことを特徴とする補正データ生成方法。
【請求項１０】
複数の走査線と、複数のデータ線と、前記走査線と前記データ線の交差に対応して電流で駆動される電気光学素子が各々配列された画素領域と、補正データを用いて前記電気光学素子の輝度を制御する制御データを補正して補正済制御データを生成する補正手段と、前記画素領域を分割した複数の駆動領域の各々に対応して設けられ、前記補正済制御データに基づいてデータ信号を生成して前記データ線に供給する駆動モジュールとを備えた電気光学装置を駆動する駆動方法であって、
前記駆動領域に各々対応する画像パターンを順次表示させ、
前記電気光学素子に供給される電流をブロック電流として前記駆動領域ごとに計測し、
前記ブロック電流に基づいて、前記複数の駆動領域の間で輝度が一定になるように前記制御データを補正するための補正データを前記複数の駆動領域に対応して各々生成し、
生成した前記補正データを補正データ記憶手段に記憶し、
記憶した補正データを用いて、前記制御データを補正して前記補正済制御データを生成する
ことを特徴とする電気光学装置の駆動方法。
【請求項１１】
複数の走査線と、複数のデータ線と、前記走査線と前記データ線の交差に対応して電流で駆動される電気光学素子が各々配列された画素領域と、補正データを用いて前記電気光学素子の輝度を制御する制御データを補正して補正済制御データを生成する補正手段と、前記画素領域を分割した複数の駆動領域の各々に対応して設けられ、前記補正済制御データに基づいてデータ信号を生成して前記データ線に供給する駆動モジュールとを備えた電気光学装置を駆動する駆動方法であって、
前記駆動領域は複数のサブ領域からなり、
前記サブ領域に各々対応する画像パターンを順次表示させ、
前記電気光学素子に供給される電流を前記サブ領域ごとにブロック電流として計測し、
計測された前記ブロック電流が所定の範囲内にあるか否かを判定し、
前記所定の範囲内にある前記ブロック電流に基づいて前記駆動領域ごとに前記補正データを生成し、
生成した前記補正データを補正データ記憶手段に記憶し、
記憶した補正データを用いて、前記制御データを補正して前記補正済制御データを生成する
ことを特徴とする電気光学装置の駆動方法。
【発明の詳細な説明】
【技術分野】
【０００１】
本発明は、有機発光ダイオード等の電気光学素子を用いた電気光学装置、その駆動回路及び駆動方法、補正データ生成方法、並びに電子機器に関する。
【背景技術】
【０００２】
液晶表示装置に替わる電気光学装置として、有機発光ダイオード素子（以下、ＯＬＥＤ素子と称する。）を備えた装置が注目されている。ＯＬＥＤ（Organic Light Emitting Diode）素子は、電気的にはダイオードのように動作し、光学的には、順バイアス時に発光して順バイアス電流の増加にともなって発光輝度が増加する。
【０００３】
ＯＬＥＤ素子をマトリクス状に配列した電気光学装置は、複数の走査線と複数のデータ線を備え、走査線とデータ線の交差に対応して画素回路が各々設けられている。各画素回路は、各ＯＬＥＤ素子に電流を供給するＴＦＴ（Thin Film Transistor：薄膜トランジスタ）を有する。データ線には表示階調に応じた階調信号がデータ線駆動回路から供給される。ここで、データ線駆動回路を複数の駆動モジュールから構成することがある。
【０００４】
このような電気光学装置では、ＴＦＴの特性やアナログデータの書き込み精度等に起因してＯＬＥＤ素子に流れる電流がばらつく。ＯＬＥＤ素子に流れる電流のばらつきを改善する技術として、各ＯＬＥＤ素子に流れる電流を測定し、測定結果に基づいて補正値を生成し、画像データを補正する手法が知られている（例えば、特許文献１）。また、電気光学装置を発光させ、その輝度を測定して、補正値を生成する技術も公知である（例えば、特許文献２）。
【０００５】
【特許文献１】特開平２００３−２０２８３６号公報
【特許文献２】特開昭５９−５５４８７号公報
【発明の開示】
【発明が解決しようとする課題】
【０００６】
しかしながら、従来の技術のように画素毎に電流を測定するのでは、全ての画素について電流を測定するのに時間がかかる。特に、大画面の電気光学装置にあっては、画素数が多いので大きな問題となる。また、輝度を測定するためにはセンサが必要となり、装置が大型化するといった問題がある。
【０００７】
本発明は上述した問題に鑑みてなされたものであり、簡易な計測で補正を実行可能な電気光学装置、その駆動回路及び駆動方法、補正データ生成方法、並びに電子機器を提供することを解決課題とする。
【課題を解決するための手段】
【０００８】
上述した課題を解決するため、本発明に係る電気光学装置の駆動回路は、複数の走査線と、複数のデータ線と、前記走査線と前記データ線の交差に対応して電気光学素子が各々配列された画素領域とを備えた電気光学装置に用いられ、前記電気光学素子の輝度を制御する制御データに基づいて前記電気光学素子を駆動するものであって、前記画素領域を前記各駆動モジュールに対応する領域に分割した複数の駆動領域の間で輝度が一定になるように前記制御データを補正するための補正データを、前記複数の駆動領域に対応して各々記憶した補正データ記憶手段と、前記補正データ記憶手段から読み出した前記補正データを用いて、前記制御データを補正して補正済制御データを生成する補正手段と、複数の駆動モジュールを有し、各駆動モジュールが互いに異なる前記データ線に接続され、前記補正済制御データに基づいてデータ信号を生成し、前記データ信号を前記データ線を介して前記電気光学素子へ供給するデータ線駆動手段と、を備えたことを特徴とする。
【０００９】
データ線駆動手段を複数の駆動モジュールで構成する場合、駆動モジュール間で電気的特性がばらつくことによって、各駆動モジュールに割り当てられた駆動領域の境界が輝度ムラで目立つことがある。本発明によれば、駆動領域ごとに補正データを記憶し、記憶した補正データを用いて入力階調データを補正するので、駆動領域間の輝度ムラを改善することが可能となる。なお、電気光学素子とは、電気エネルギーによって光学特性が変化する素子の意味であり、有機発光ダイオードや無機発光ダイオード等の自発光素子が含まれる。
【００１０】
ここで、記制御データは、入力階調値を示す入力階調データであり、前記補正済制御データは出力階調データであることが好ましい。また、この駆動回路は、必ずしも補正データを生成する手段を備える必要はないが、前記補正データを、前記複数の駆動領域に対応して各々生成する補正データ生成手段を備えてもよい。この場合は、駆動回路自体で補正データを生成することが可能となるので、経時変化によって駆動モジュールの電気的特性が変化しても、これを考慮して制御データ（例えば、入力階調データ）を補正することが可能となる。
【００１１】
また、上述した駆動回路において、前記電気光学素子は電流によって駆動され、前記補正データ生成手段は、前記駆動領域に各々対応する画像パターンを順次表示させる画像制御手段と、前記電気光学素子に供給される電流を前記駆動領域ごとに計測してブロック電流として出力する電流計測手段と、前記ブロック電流に基づいて前記補正データを前記駆動領域ごとに生成する補正データ作成手段と、を備えることが好ましい。この発明によれば、駆動領域単位で電気光学素子を点灯させて電流を計測するので、異なる駆動領域間で電気光学素子に流れる電流が一定になるように補正することが可能となる。また、個々の電気光学素子について個別に輝度を計測する必要がないので、大掛かりな測定装置を不要にでき、構成を簡易で短時間に計測を完了することが可能となる。
【００１２】
また、前記電気光学素子は電流によって駆動され、前記駆動領域は複数のサブ領域からなり、前記補正データ生成手段は、前記サブ領域に各々対応する画像パターンを順次表示させる画像制御手段と、前記電気光学素子に供給される電流を前記サブ領域ごとに計測してブロック電流として出力する電流計測手段と、計測された前記ブロック電流が所定の範囲内にあるか否かを判定する判定手段と、前記所定の範囲内にある前記ブロック電流に基づいて前記駆動領域ごとに前記補正データを生成する補正データ作成手段と、を備えることが好ましい。この発明によれば、駆動領域を更に分割したサブ領域単位でブロック電流を検出し、電流値が異常な場合は、これを無視して補正データを生成するので、補正データの精度を向上させることが可能となる。
【００１３】
次に、本発明に係る電気光学装置は、複数の走査線と、複数のデータ線と、前記走査線と前記データ線の交差に対応して電気光学素子が各々配列された画素領域と、上述した駆動回路と、を備えたことを特徴とする。この電気光学装置は、駆動領域ごとに入力階調データを補正するので、駆動領域間の輝度ムラを大幅に改善することが可能となる。ここで、前記電気光学素子は有機発光ダイオードであることが好ましい。
【００１４】
次に、本発明に係る電子機器は、前記電気光学装置を表示手段として備えたことを特徴とし、例えば、携帯電話機、パーソナルコンピュータ、デジタルカメラ、ＰＤＡ、電卓等が該当する。
【００１５】
次に、発明に係る補正データ生成方法は、複数の走査線と、複数のデータ線と、前記走査線と前記データ線の交差に対応して電流で駆動される電気光学素子が各々配列された画素領域と、補正データを用いて前記電気光学素子の輝度を制御する制御データを補正して補正済制御データを生成する補正手段と、前記画素領域を分割した複数の駆動領域の各々に対応して設けられ、前記補正済制御データに基づいてデータ信号を生成して前記データ線に供給する駆動モジュールとを備えた電気光学装置を対象として、前記補正データを生成する補正データ生成方法であって、前記駆動領域は複数のサブ領域からなり、前記サブ領域に各々対応する画像パターンを順次表示させ、前記電気光学素子に供給される電流を前記サブ領域ごとにブロック電流として計測し、計測された前記ブロック電流が所定の範囲内にあるか否かを判定し、前記所定の範囲内にある前記ブロック電流に基づいて前記駆動領域ごとに前記補正データを生成する、ことを特徴とする。この発明によれば、駆動領域を更に分割したサブ領域単位でブロック電流を検出し、電気光学素子が短絡あるいは断線を起こして電流値が異常な値を示す場合は、これを無視して補正データを生成するので、補正データの精度を向上させることが可能となる。
【００１６】
また、本発明に係る駆動方法は、複数の走査線と、複数のデータ線と、前記走査線と前記データ線の交差に対応して電流で駆動される電気光学素子が各々配列された画素領域と、補正データを用いて前記電気光学素子の輝度を制御する制御データを補正して補正済制御データを生成する補正手段と、前記画素領域を分割した複数の駆動領域の各々に対応して設けられ、前記補正済制御データに基づいてデータ信号を生成して前記データ線に供給する駆動モジュールとを備えた電気光学装置を駆動するものであって、前記駆動領域に各々対応する画像パターンを順次表示させ、前記電気光学素子に供給される電流をブロック電流として前記駆動領域ごとに計測し、前記ブロック電流に基づいて、前記複数の駆動領域の間で輝度が一定になるように前記制御データを補正するための補正データを前記複数の駆動領域に対応して各々生成し、生成した前記補正データを補正データ記憶手段に記憶し、記憶した補正データを用いて、前記制御データを補正して前記補正済制御データを生成することを特徴とする。この発明によれば、駆動領域単位で電気光学素子を点灯させて電流を計測するので、異なる駆動領域間で電気光学素子に流れる電流が一定になるように補正することが可能となる。また、個々の電気光学素子について個別に輝度を計測する必要がないので、大掛かりな測定装置を不要にでき、構成を簡易で短時間に計測を完了することが可能となる。
【００１７】
また、本発明に係る駆動方法は、複数の走査線と、複数のデータ線と、前記走査線と前記データ線の交差に対応して電流で駆動される電気光学素子が各々配列された画素領域と、補正データを用いて前記電気光学素子の輝度を制御する制御データを補正して補正済制御データを生成する補正手段と、前記画素領域を分割した複数の駆動領域の各々に対応して設けられ、前記補正済制御データに基づいてデータ信号を生成して前記データ線に供給する駆動モジュールとを備えた電気光学装置を駆動する方法であって、前記駆動領域は複数のサブ領域からなり、前記サブ領域に各々対応する画像パターンを順次表示させ、前記電気光学素子に供給される電流を前記サブ領域ごとにブロック電流として計測し、計測された前記ブロック電流が所定の範囲内にあるか否かを判定し、前記所定の範囲内にある前記ブロック電流に基づいて前記駆動領域ごとに前記補正データを生成し、生成した前記補正データを補正データ記憶手段に記憶し、記憶した補正データを用いて、前記制御データを補正して前記補正済制御データを生成することを特徴とする。この発明によれば、駆動領域を更に分割したサブ領域単位でブロック電流を検出し、電気光学素子が短絡あるいは断線を起こして電流値が異常な値を示す場合は、これを無視して補正データを生成するので、輝度ムラをより一層無くすことが可能となる。
【発明を実施するための最良の形態】
【００１８】
＜１．第１実施形態＞
図１は、本発明の第１実施形態に係る電気光学装置１の概略構成を示すブロック図である。電気光学装置１は、画素領域Ｐ、走査線駆動回路１００、データ線駆動回路２００、制御回路３００及び電源回路５５０を備える。このうち、画素領域Ｐには、Ｘ方向と平行にｍ本の走査線１０１及びｍ本の発光制御線１０２が形成される。また、Ｘ方向と直交するＹ方向と平行にｎ本のデータ線１０３が形成される。そして、走査線１０１とデータ線１０３との各交差に対応して画素回路４００が各々設けられている。画素回路４００はＯＬＥＤ素子を含む。また、各画素回路４００には、電源電圧Ｖｄｄが電源線Ｌを介して供給される。
【００１９】
走査線駆動回路１００は、複数の走査線１０１を順次選択するための走査信号Ｙ１、Ｙ２、Ｙ３、…、Ｙｍを生成すると共に発光制御信号Ｖｇ１、Ｖｇ２、Ｖｇ３、…、Ｖｇｍを生成する。走査信号Ｙ１はＹ転送開始パルスＤＹをＹクロック信号ＹＣＬＫに同期して順次転送することにより生成される。発光制御信号Ｖｇ１、Ｖｇ２、Ｖｇ３、…、Ｖｇｍは、各発光制御線１０２を介して各画素回路４００に各々供給される。図２に走査信号Ｙ１〜Ｙｍと発光制御信号Ｖｇ１〜Ｖｇｍのタイミングチャートの一例を示す。走査信号Ｙ１は、１垂直走査期間（１Ｆ）の最初のタイミングから、１水平走査期間（１Ｈ）に相当する幅のパルスであって、１行目の走査線１０１に供給される。以降、このパルスを順次シフトして、２、３、…、ｍ行目の走査線１０１の各々に走査信号Ｙ２、Ｙ３、…、Ｙｍとして供給する。一般的にｉ（ｉは、１≦ｉ≦ｍを満たす整数）行目の走査線１０１に供給される走査信号ＹｉがＨレベルになると、当該走査線１０１が選択されたことを示す。また、発光制御信号Ｖｇ１、Ｖｇ２、Ｖｇ３、…、Ｖｇｍとしては、例えば、走査信号Ｙ１、Ｙ２、Ｙ３、…、Ｙｍの論理レベルを反転した信号を用いる。
【００２０】
データ線駆動回路２００は、出力階調データＤｏｕｔに基づいて、選択された走査線１０１に位置する画素回路４００の各々に対し階調信号Ｘ１、Ｘ２、Ｘ３、…、Ｘｎを供給する。この例において、階調信号Ｘ１〜Ｘｎは階調輝度を指示する電流信号として与えられる。データ線駆動回路２００は、シフトレジスタ、ラッチ回路、ｎ本のデータ線１０３の各々に対応した電流出力型のデジタルアナログ変換器を有している。シフトレジスタは、Ｘ転送開始パルスＤＸをＸクロック信号ＸＣＬＫに同期して順次転送して、点順次のラッチ信号を生成する。ラッチ回路はラッチ信号を用いて出力階調データＤｏｕｔをラッチする。その出力信号がデジタルアナログ変換器でＤＡ変換され階調信号Ｘ１〜Ｘｎが生成される。
【００２１】
図３にデータ線駆動回路２００の詳細と駆動領域の関係を示す。この例のデータ線駆動回路２００は、４個の駆動モジュール２０１〜２０４を備える。各駆動モジュール２０１〜２０４はｎ／４本のデータ線１０３に接続されており、画素領域Ｐは４個の駆動領域Ａ〜Ｄに分割されている。なお、この例では、画素領域Ｐを４個に分割したが、分割数は駆動モジュールの個数に応じて定まる。また、駆動モジュール間で接続されるデータ線１０３の本数が相違してもよい。各駆動モジュール２０１〜２０４は、シフトレジスタ、ラッチ回路、及び電流出力型のデジタルアナログ変換器が集積化されたＩＣチップを有する。なお、駆動モジュール２０１〜２０４の機能の全部若しくは一部がＩＣチップで構成されていてもよいし、その機能がプログラマブルなＩＣに書き込まれソフトウェア的に実現されてもよい。
【００２２】
ここで、駆動モジュール２０１〜２０４の間で電気的特性が相違すると、駆動領域Ａ〜Ｄの間で輝度ムラが発生し、特に、駆動領域の境界が目立ち不自然な画面となる。そのような駆動領域Ａ〜Ｄの間の輝度ムラを改善するために、本実施形態の電気光学装置１は補正データＤｈを生成し、これを用いて輝度補正を実行している。補正データＤｈを生成する手段として、電気光学装置１は、以下の構成要素を備える。電流計５００は電源線Ｌを流れる電源電流をブロック電流Ｉｂとして計測して、補正データ生成回路６００へ出力する。補正データ生成回路６００は、ブロック電流Ｉｂの値に基づいて補正データＤｈを生成する。また、補正データ生成回路６００は、画像パターン作成回路７００に対して画像パターンを指示する指示信号を出力する。画像パターン作成回路７００は、駆動領域Ａ〜Ｄを所定の輝度で発光させる画像パターン信号ＧＳを生成し、これを制御回路３００に順次出力する。
【００２３】
制御回路３００は、タイミング生成部３１０、補正データ記憶部３２０及び補正部３３０を備える。タイミング生成部３１０はＹクロック信号ＹＣＬＫ、Ｘクロック信号ＸＣＬＫ、Ｘ転送開始パルスＤＹ、Ｙ転送開始パルスＤＹ等の各種の制御信号を生成してこれらを走査線駆動回路１００及びデータ線駆動回路２００へ出力する。補正データ記憶部３２０は、補正データＤｈを記憶する。補正部３３０は、外部から供給される入力階調データＤｉｎに補正データＤｈを用いた補正処理を施して出力階調データＤｏｕｔを生成する。
【００２４】
次に、画素回路４００について説明する。図４に、画素回路４００の回路図を示す。同図に示す画素回路４００は、ｉ行目の対応するものであり、電源電圧Ｖｄｄが供給される。画素回路４００は、４個のＴＦＴ４０１〜４０４と、容量素子４１０と、ＯＬＥＤ素子４２０とを備える。ＴＦＴ４０１〜４０４の製造プロセスでは、レーザーアニールショットを利用してガラス基板の上にポリシリコン層が形成される。また、ＯＬＥＤ素子４２０は、陽極と陰極との間に発光層が挟持されている。そして、ＯＬＥＤ素子４２０は、順方向電流に応じた輝度で発光する。発光層には、発光色に応じた有機ＥＬ（Electronic Luminescence）材料が用いられる。発光層の製造プロセスでは、インクジェット方式のヘッドから有機ＥＬ材料を液滴として吐出し、これを乾燥させている。
【００２５】
駆動トランジスタであるＴＦＴ４０１はｐチャネル型、スイッチングトランジスタであるＴＦＴ４０２〜４０４はｎチャネル型である。ＴＦＴ４０１のソース電極は電源線ＬＲに接続される一方、そのドレイン電極はＴＦＴ４０３のドレイン電極、ＴＦＴ４０４のドレイン電極及びＴＦＴ４０２のソース電極にそれぞれ接続される。
【００２６】
容量素子４１０の一端はＴＦＴ４０１のソース電極に接続される一方、その他端は、ＴＦＴ４０１のゲート電極及びＴＦＴ４０２のドレイン電極にそれぞれ接続される。ＴＦＴ４０３のゲート電極は走査線１０１に接続され、そのソース電極は、データ線１０３に接続される。また、ＴＦＴ４０２のゲート電極は走査線１０１に接続される。一方、ＴＦＴ４０４のゲート電極は発光制御線１０２に接続され、そのソース電極はＯＬＥＤ素子４２０の陽極に接続される。ＴＦＴ４０４のゲート電極には、発光制御線１０２を介して発光制御信号Ｖｇｉが供給される。なお、ＯＬＥＤ素子４２０の陰極は、画素回路４００のすべてにわたって共通の電極であり、電源における低位（基準）電位となっている。
【００２７】
このような構成において、走査信号ＹｉがＨレベルになると、ｎチャネル型ＴＦＴ４０２がオン状態となるので、ＴＦＴ４０１は、ゲート電極とドレイン電極とが互いに接続されたダイオードとして機能する。走査信号ＹｉがＨレベルになると、ｎチャネル型ＴＦＴ４０３も、ＴＦＴ４０２と同様にオン状態となる。この結果、データ線駆動回路２００の電流Ｉdataが、電源線ＬＲ→ＴＦＴ４０１→ＴＦＴ４０３→データ線１０３という経路で流れるとともに、そのときに、ＴＦＴ４０１のゲート電極の電位に応じた電荷が容量素子４１０に蓄積される。
【００２８】
走査信号ＹｉがＬレベルになると、ＴＦＴ４０３、４０２はともにオフ状態となる。このとき、ＴＦＴ４０１のゲート電極における入力インピーダンスは極めて高いので、容量素子４１０における電荷の蓄積状態は変化しない。ＴＦＴ４０１のゲート・ソース間電圧は、電流Ｉdataが流れたときの電圧に保持される。また、走査信号ＹｉがＬレベルになると、発光制御信号ＶｇｉがＨレベルとなる。このため、ＴＦＴ４０４がオンし、ＴＦＴ４０１のソース・ドレイン間には、そのゲート電圧に応じた注入電流Ｉoledが流れる。詳細には、この電流は、電源線ＬＲ→ＴＦＴ４０１→ＴＦＴ４０４→ＯＬＥＤ素子４２０という経路で流れる。
【００２９】
ここで、ＯＬＥＤ素子４２０に流れる注入電流Ｉoledは、ＴＦＴ４０１のゲート・ソース間電圧で定まるが、その電圧は、Ｈレベルの走査信号Ｙｉによって電流Ｉdataがデータ線１０３に流れたときに、容量素子４１０によって保持された電圧である。このため、発光制御信号ＶｇｉがＨレベルになったときに、ＯＬＥＤ素子４２０に流れる注入電流Ｉoledは、直前に流れた電流Ｉdataに略一致する。このように画素回路４００は、電流Ｉdataによって発光輝度を規定することから、電流プログラム方式の回路である。ＯＬＥＤ素子４２０の発光輝度は、注入電流Ｉoledに対応したものになる。
【００３０】
図５に補正データＤｈを生成する処理内容を示す。まず、電気光学装置１の電源が投入される（ステップＳ１）。この後、電気光学装置１において画像表示の制御／駆動が開始される（ステップＳ２）。次に、補正データ生成回路６００は、エリア番号ＮＡを「１」に設定する（ステップＳ３）。エリア番号ＮＡは駆動領域Ａ〜Ｄを識別するために割り当てられた番号であって、ＮＡ＝１〜４となる。
【００３１】
次に、補正データ生成回路６００は、エリア番号ＮＡに対応する駆動領域Ａ〜Ｄを発光させる画像パターンを生成するように指示信号を生成し、これに従って画像パターン作成回路７００が画像パターン信号ＧＳを生成する（ステップＳ４）。具体的には、駆動領域Ａ→駆動領域Ｂ→駆動領域Ｃ→駆動領域Ｄの順に発光させる画像パターンを作成させる。
【００３２】
次に、駆動領域が発光すると電流計５００を用いて電源電流が計測される（ステップＳ５）。この電源電流がブロック電流Ｉｂとなる。次に、補正データ生成回路６００は、計測されたブロック電流Ｉｂに基づいて補正データＤｈを生成して補正データ記憶部３２０に記憶させる（ステップＳ６）。この後、補正データ生成回路６００は、エリア番号ＮＡ＝４か否かを判定する（ステップＳ７）。エリア番号ＮＡ＝４であれば、全ての駆動領域Ａ〜Ｄについて補正データＤｈの生成処理が完了したことになるので、処理を終了する。一方、エリア番号ＮＡ＝４でなければ、エリア番号ＮＡを「１」だけインクリメントして、処理をステップＳ４に戻す（ステップＳ８）。
【００３３】
このようにして、各駆動領域Ａ〜Ｄについてブロック電流Ｉｂを測定し、その測定結果に応じて補正データＤｈが生成される。補正データＤｈは、各駆動モジュール２０１〜２０４に対応した出力階調データＤｏｕｔを補正済みのデータにできるのであれば、如何なるものであってもよい。例えば、入力階調データＤｉｎに補正データＤｈを乗算又は除算することによって補正済みの出力階調データＤｏｕｔが生成されてもよいし、入力階調データＤｉｎに補正データＤｈを加算又は減算することによって補正済みの出力階調データＤｏｕｔが生成されてもよいし、あるいは四則演算を組み合わせて出力階調データＤｏｕｔを生成してもよい。
【００３４】
以上説明したように本実施形態によれば、データ線駆動回路２００を複数の駆動モジュール２０１〜２０４で構成する場合、駆動モジュール２０１〜２０４間で電気的特性がばらついても、補正データＤｈを用いて補正するので、各駆動モジュール２０１〜２０４に割り当てられた駆動領域Ａ〜Ｄ間の輝度ムラを解消することができる。更に、駆動領域ごとに電源電流に着目して補正データＤｈを生成するので、簡易に補正データＤｈを生成することができる。加えて、補正データを生成する手段を電気光学装置１に容易に組み込むことができ、各駆動モジュール２０１〜２０４の電気的特性が経時変化しても、これに追従した補正が可能になる。
【００３５】
＜２．第２実施形態＞
次に、本発明の第２実施形態に係る電気光学装置１は、図１に示す第１実施形態の電気光学装置１と同様であり、補正データＤｈの生成処理の内容が相違する。より具体的には、各駆動領域Ａ〜Ｄを、複数のサブ領域に分割し、サブ領域単位でブロック電流Ｉｂを測定する。
【００３６】
図６に第２実施形態に係る駆動モジュールとサブ領域の関係を示す。この図に示すように各駆動領域Ａ〜Ｄは、ｋ個のサブ領域に分割されている。例えば、駆動モジュール２０１に対応する駆動領域Ａは、サブ領域Ａ１、Ａ２、…Ａｋから構成される。
【００３７】
図７に補正データＤｈを生成する処理内容を示す。まず、電気光学装置１の電源が投入される（ステップＳ１１）。この後、電気光学装置１において画像表示の制御／駆動が開始される（ステップＳ１２）。次に、補正データ生成回路６００は、エリア番号ＮＡを「１」に設定し（ステップＳ１３）、サブエリア番号ＮＳＡを「１」に設定する（ステップＳ１４）。サブエリア番号ＮＳＡはｋ個のサブ領域を識別するために割り当てられた番号であって、ＮＳＡ＝１〜ｋとなる。
【００３８】
次に、補正データ生成回路６００は、エリア番号ＮＡ及びサブエリア番号ＮＳＡに対応するサブ領域を発光させる画像パターンを生成するように指示信号を生成し、これに従って画像パターン作成回路７００が画像パターン信号ＧＳを生成する（ステップＳ１５）。具体的には、駆動領域Ａのサブ領域Ａ１→Ａ２→…→Ａｋの順に発光させる画像パターンを作成させ、それ以降、駆動領域Ｂ→駆動領域Ｃ→駆動領域Ｄの順に処理を進行させる。
【００３９】
次に、サブ領域が発光すると電流計５００を用いて電源電流が計測される（ステップＳ１６）。この電源電流がブロック電流Ｉｂとなる。次に、補正データ生成回路６００は、計測されたブロック電流Ｉｂが所定範囲内か否かを判定する（ステップＳ１７）。具体的には、画像パターン信号ＧＳの階調値に対応するブロック電流Ｉｂの値として許容される最小電流値Ｉｍｉｎから最大電流値Ｉｍａｘまでの範囲内にあるか否かが判定される。測定の対象となるサブ領域に製造不良によって短絡したＯＬＥＤ素子４２０が含まれる場合には、ブロック電流Ｉｂの値が大きくなる。一方、測定の対象となるサブ領域に製造不良によって断線したＯＬＥＤ素子４２０が含まれる場合には、ブロック電流Ｉｂの値が小さくなる。このように製造不良がある場合には計測電流が異常となるが、異常な計測結果を補正データＤｈに反映させると、補正データＤｈによる輝度補正精度が低下する。
【００４０】
そこで、本実施形態においては、計測結果が正常でありステップＳ１７の判定条件が肯定される場合に、補正データ生成回路６００はブロック電流Ｉｂを記憶する（ステップＳ１８）。一方、計測結果が異常でありステップＳ１７の判定条件が否定される場合には、計測したブロック電流Ｉｂを記憶しない。
【００４１】
この後、補正データ生成回路６００は、サブエリア番号ＮＳＡ＝ｋか否かを判定する（ステップＳ１９）。サブエリア番号ＮＳＡ＝ｋでなければ、計測未了のサブ領域が存在する。この場合、サブエリア番号ＮＳＡを「１」だけインクリメントして、処理をステップＳ１５に戻す。そして、ステップＳ１９の判定条件が肯定されると、補正データ生成回路６００は、ステップＳ１８で記憶したブロック電流Ｉｂに基づいて、補正データＤｈを生成する。この場合、記憶したブロック電流Ｉｂの平均値を算出し、算出結果に応じた補正データＤｈを生成することが好ましい。
【００４２】
ここで、ある駆動領域について補正データＤｈの生成処理を具体的に説明する。図８は、計測されたブロック電流Ｉｂとサブエリア番号ＮＳＡの関係の具体例を示すグラフである。この例では、サブエリア番号ＮＳＡ＝３に対応するサブ領域では、ブロック電流Ｉｂの値が最大電流値Ｉｍａｘを上回る。また、サブエリア番号ＮＳＡ＝７に対応するサブ領域では、ブロック電流Ｉｂの値が最小電流値Ｉｍｉｎを下回る。これらのサブ領域については、ＯＬＥＤ素子４２０の短絡・断線不良が発生していると考えられる。このため、サブエリア番号ＮＳＡ＝３及び７の計測結果を無視して、他のサブ領域について計測されたブロック電流Ｉｂの平均値に基づいて、補正データＤｈを生成する。これによって、補正データＤｈによる輝度補正精度を向上させることが可能となる。
【００４３】
説明を図７に戻す。補正データ生成回路６００は、ステップＳ２１の処理が終了すると、エリア番号ＮＡ＝４か否かを判定する（ステップＳ２２）。エリア番号ＮＡ＝４であれば、全ての駆動領域Ａ〜Ｄについて補正データＤｈの生成処理が完了したことになるので、処理を終了する。一方、エリア番号ＮＡ＝４でなければ、エリア番号ＮＡを「１」だけインクリメントして、処理をステップＳ１４に戻す（ステップＳ２３）。
【００４４】
以上説明したように本実施形態によれば、データ線駆動回路２００を複数の駆動モジュール２０１〜２０４で構成する場合、駆動モジュール２０１〜２０４間で電気的特性がばらついても、補正データＤｈを用いて補正するので、各駆動モジュール２０１〜２０４に割り当てられた駆動領域Ａ〜Ｄ間の輝度ムラを解消することができる。更に、計測結果が異常な場合には、これを無視して補正データＤｈを生成するので、補正データＤｈによる輝度補正精度を向上させることができる。
【００４５】
＜３．応用例＞
（１）上述した第１及び第２実施形態においては、電流計５００、補正データ生成回路６００、及び画像パターン作成回路７００を電気光学装置１に設けたが、本発明はこれに限定されるものではない。即ち、これらの構成要素を備えた補正データ生成装置を別途用意し、ブロック電流Ｉｂを計測して生成した補正データＤｈを不揮発性メモリに書き込み、この不揮発性メモリを補正データ記憶部３２０として電気光学装置１に実装してもよい。この場合には、補正データＤｈを生成する構成要素を電気光学装置１に実装する必要がないので、構成を簡易なものにすることができる。
【００４６】
（２）上述した第1及び第２実施形態では、単一色の電気光学装置１を一例として説明したが、本発明はこれに限定されるものではなく、カラー表示の電気光学装置１を対象としてもよい。この場合、複数種類の発光色を有するＯＬＥＤ素子４２０を用いるか、あるいは、単色のＯＬＥＤ素子とカラーフィルタ等の色変換層とを組み合わせることが考えられる。前者の場合には、例えば、図９に示す電気光学装置２を構成すればよい。同図に示す「Ｒ」、「Ｇ」、及び「Ｂ」の符号はそれぞれ「赤」、「緑」、及び「青」を意味し、ＯＬＥＤ素子４２０の発光色を示している。この例にあっては、データ線１０３に沿って各色の画素回路４００が配列されている。また、各画素回路４００のうち、Ｒ色に対応する画素回路４００は電源線ＬＲと接続されており、Ｇ色に対応する画素回路４００は電源線ＬＧと接続されており、Ｂ色に対応する画素回路４００は電源線ＬＢに接続されている。電源電圧Ｖｄｄｒ、Ｖｄｄｇ、及びＶｄｄｂが、電源線ＬＲ、ＬＧ及びＬＢを介して、ＲＧＢ各色に対応する画素回路４００に供給される。
【００４７】
そして、電流計５００は、各電源線ＬＲ、ＬＧ及びＬＢに流れる電流を各々検出する。図１０を参照して、サブ領域ＳＡについて説明する。同図に示すようにサブ領域ＳＡには、ＲＧＢ色の画素が各々設けられている。発光色が相違するＯＬＥＤ素子４２０では、発光効率が異なるので注入電流Ｉoledが相違する。このため、補正データＤｈを発光色に応じて生成する必要がある。そこで、同図に示すようにサブ領域ＳＡを、Ｒ色のサブ領域ＳＡｒ、Ｇ色のサブ領域ＳＡｇ、Ｂ色のサブ領域ＳＡｂの集まりと捉え、各色のサブ領域ＳＡｒ、ＳＡｇ、及びＳＡｂごとにブロック電流Ｉｂを計測して、補正データＤｈを生成すればよい。
【００４８】
なお、この例では、電流計５００を各電源線ＬＲ、ＬＧ及びＬＢに設けたので、ＲＧＢ各色に対応するブロック電流Ｉｂを同時に計測することができるが、電流計５００を１個として各色に対応する画像パターンを順次表示させてもよい。
【００４９】
（３）上述した第1及び第２実施形態では、電気光学素子たるＯＬＥＤ素子４２０の発光輝度を制御する制御データとして、入力階調データＤｉｎを一例として説明したが、本発明はこれに限定されるものではなく、補正の対象は電気光学素子の輝度を制御するデータであれば、いかなるものであってもよい。上述したように、駆動モジュール２０１〜２０４は電流出力型のデジタルアナログ変換器を含む。デジタルアナログ変換器は基準電圧Ｖｒｅｆに従ってデジタルデータをアナログ電流に変換するものである。この場合、基準電圧Ｖｒｅｆの値を調整すれば、ＯＬＥＤ素子４２０の発光輝度を制御することが可能である。即ち、基準電圧Ｖｒｅｆは発光輝度を制御する制御データに相当する。そこで、図１１に示すように補正データＤｈに基づいて補正済みの基準電圧Ｖrefを生成し、これをデータ線駆動回路２００に供給してもよい。なお、図９に示すカラー表示の電気光学装置においても同様に補正の対象を基準電圧Ｖｒｅｆとしてもよい。
【００５０】
＜４．電子機器＞
次に、上述した実施形態及び応用例に係る電気光学装置１又は２を適用した電子機器について説明する。図１２に、電気光学装置１又は２を適用したモバイル型のパーソナルコンピュータの構成を示す。パーソナルコンピュータ２０００は、表示ユニットとしての電気光学装置１と本体部２０１０を備える。本体部２０１０には、電源スイッチ２００１及びキーボード２００２が設けられている。この電気光学装置１はＯＬＥＤ素子４２０を用いるので、視野角が広く見易い画面を表示できる。
【００５１】
図１３に、電気光学装置１又は２を適用した携帯電話機の構成を示す。携帯電話機３０００は、複数の操作ボタン３００１及びスクロールボタン３００２、並びに表示ユニットとしての電気光学装置１を備える。スクロールボタン３００２を操作することによって、電気光学装置１に表示される画面がスクロールされる。
【００５２】
図１４に、電気光学装置１又は２を適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置１を備える。電源スイッチ４００２を操作すると、住所録やスケジュール帳といった各種の情報が電気光学装置１に表示される。
【００５３】
なお、電気光学装置１又は２が適用される電子機器としては、図１２〜１４に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した電気光学装置１が適用可能である。
【図面の簡単な説明】
【００５４】
【図１】本発明の第１実施形態に係る電気光学装置の構成を示すブロック図である。
【図２】同装置における走査線駆動回路のタイミングチャートである。
【図３】同装置におけるデータ線駆動回路の詳細と駆動領域との関係を示す説明図である。
【図４】同装置における画素回路の構成を示す回路図である。
【図５】同装置における補正データ生成処理の内容を示すフローチャートである。
【図６】本発明の第２実施形態に係る電気光学装置のデータ線駆動回路の詳細と駆動領域との関係を示す説明図である。
【図７】同装置における補正データ生成処理の内容を示すフローチャートである。
【図８】ブロック電流とサブエリア番号の関係の具体例を示すグラフである。
【図９】応用例に係るカラー表示の電気光学装置の構成を示すブロック図である。
【図１０】同装置におけるサブ領域を説明するための説明図である。
【図１１】他の応用例に係る電気光学装置の構成を示すブロック図である。
【図１２】同装置を適用したモバイル型のパーソナルコンピュータの構成を示す斜視図である。
【図１３】同電気光学装置を適用した携帯電話機の構成を示す斜視図である。
【図１４】同電気光学装置を適用した携帯情報端末の構成を示す斜視図である。
【符号の説明】
【００５５】
１、２…電気光学装置、３００…制御回路、３２０…補正データ記憶部、３３０…補正部、４００…画素回路、４２０…有機発光ダイオード、５００…電流計、６００…補正データ生成回路、７００…画像パターン作成回路、Ｄｈ…補正データ。
【図１】
2005250122.tif 000003
【図２】
2005250122.tif 000004
【図３】
2005250122.tif 000005
【図４】
2005250122.tif 000006
【図５】
2005250122.tif 000007
【図６】
2005250122.tif 000008
【図７】
2005250122.tif 000009
【図８】
2005250122.tif 000010
【図９】
2005250122.tif 000011
【図１０】
2005250122.tif 000012
【図１１】
2005250122.tif 000013
【図１２】
2005250122.tif 000014
【図１３】
2005250122.tif 000015
【図１４】
2005250122.tif 000016